(57)【要約】【課題】携帯する際にも持ち手を利用することで、持ちやすく落としにくい飲料容器を提供する。【解決手段】主として乳幼児用の飲料容器１である。本考案の飲料容器１は、飲み口を有する容器本体であるボトル部１０と、左右一対の持ち手５０Ａ、５０Ｂであって、取付位置からボトル１０の側面に沿う方向に延びる第１形態と、取付位置から飲み口であるストロー２１を超える方向に延びる第２形態と、の間で回動自在となっている、左右一対の持ち手５０Ａ、５０Ｂと、を備えている。【選択図】図１
0003217500.tif 000002
【実用新案登録請求の範囲】
【請求項１】
飲み口を有する容器本体と、
左右一対の持ち手であって、取付位置から前記容器本体の側面に沿う方向に延びる第１形態と、取付位置から前記飲み口を超える方向に延びる第２形態と、の間で回動自在となっている、左右一対の持ち手と、
を備える、飲料容器。
【請求項２】
左右一対の前記持ち手は、前記第２形態において、互いの先端どうしが繋合できるように形成されている、請求項１に記載された飲料容器。
【請求項３】
左右一対の前記持ち手は、
一方の前記持ち手が、先端に円柱突起を有するとともに、
他方の前記持ち手が、先端に前記円柱突起よりも細い切欠と、これに連続する前記円柱突起と略同一径の円孔と、を有している、請求項２に記載された飲料容器。
【請求項４】
左右一対の前記持ち手は、第１形態及び／又は第２形態の位置まで回動させると、クリック感が得られるようになっている、請求項１乃至請求項３のいずれか一項に記載された飲料容器。
【考案の詳細な説明】
【技術分野】
【０００１】
本考案は、持ち手を備える飲料容器に関するものである。
【背景技術】
【０００２】
従来から、乳幼児がミルク、麦茶、ジュースなどの飲料を飲むための飲料容器として、乳幼児にも持ちやすいように持ち手付きの飲料容器が使用されている。この種の飲料容器には蓋（フード）が付いており、持ち運び可能に構成されている。
【０００３】
例えば、特許文献１に記載された飲料容器では、持ち手を回動させることで、持ち手が容器本体に対して離間したり近接したり変化し、容器本体に対して離間した状態の持ち手の外側の曲線が、容器本体に対して近接した状態では容器本体の表面に沿うような形状となっている発明が開示されている。
【先行技術文献】
【特許文献】
【０００４】
【特許文献１】特開２００６−３４７５８０号公報
【考案の概要】
【考案が解決しようとする課題】
【０００５】
しかしながら、特許文献１では、飲料容器を携帯する際に持ち手を使用することまでは想定されておらず、単に収納しやすいコンパクトな構成を採用することを目的としているだけである。
【０００６】
そこで、本考案は、携帯する際にも持ち手を利用することで、持ちやすく落としにくい飲料容器を提供することを目的としている。
【課題を解決するための手段】
【０００７】
前記目的を達成するために、本考案の飲料容器は、飲み口を有する容器本体と、左右一対の持ち手であって、取付位置から前記容器本体の側面に沿う方向に延びる第１形態と、取付位置から前記飲み口を超える方向に延びる第２形態と、の間で回動自在となっている、左右一対の持ち手と、を備えている。
【考案の効果】
【０００８】
このように、本考案の飲料容器は、飲み口を有する容器本体と、左右一対の持ち手であって、取付位置から容器本体の側面に沿う方向に延びる第１形態と、取付位置から飲み口を超える方向に延びる第２形態と、の間で回動自在となっている、左右一対の持ち手と、を備えている。このような構成であるから、飲む際には持ち手を第１形態とし、持ち運ぶ際には持ち手を第２形態とすれば、携帯する際にも持ち手を利用することで、持ちやすく落としにくい飲料容器となる。
【図面の簡単な説明】
【０００９】
【図１】本考案の飲料容器の斜視図である。
【図２】本考案の飲料容器の正面図である。
【図３】本考案の飲料容器の側面図である。
【図４】本考案の飲料容器のＡ−Ａ断面図である。
【図５】持ち手の先端の詳細な構成を説明する説明図である。
【図６】本考案の飲料容器の作用を説明する斜視図である。一方の持ち手を途中まで回動させた状態である。
【図７】本考案の飲料容器の作用を説明する斜視図である。両方の持ち手を回動させて繋合させた状態である。
【考案を実施するための形態】
【００１０】
以下、本考案の実施の形態について図面を参照して説明する。ただし、以下の実施例に記載されている構成要素は例示であり、本発明の技術範囲をそれらのみに限定する趣旨のものではない。
【実施例】
【００１１】
（全体構成）
まず、図１〜４を用いて本考案の飲料容器１の全体構成を説明する。本考案の飲料容器１は、図１〜４に示すように、例えばミルクなどの飲料を収容する円筒容器形状のボトル部１０を備えている。ボトル部１０は、上部が開口部となっており、この開口部を通じて飲料を注いだり、内部を洗浄したりすることが可能な構成となっている。
【００１２】
ボトル部１０は、ガラスやポリプロピレン、ポリカーボネート、ポリエーテルスルフォン、ポリエチレンテレフタレート、アルミ、ステンレス等からなる合成樹脂や金属の成形品で形成することができる。円筒容器形状のボトル部１０の外側面には、縦方向に伸びる複数の凹凸が等間隔で設けられており、全体として略多角形状の断面を構成している。
【００１３】
ボトル部１０の（開口部の）上縁の外周面には雄ネジ溝が螺刻されており、開口部を塞ぐように、パッキンを介して浅い円筒容器形状の蓋部２０が配置・螺合されている。蓋部２０の上部には、飲み口であるストロー２１を支持するストロー支持部３０が配置されている。そして、上述してきたように、主としてボトル１０、蓋部２０及びストロー支持部３０等によって容器本体が構成されている。
【００１４】
蓋部２０の内周面には、雌ネジ溝が螺刻されており、上述したようにボトル部１０の上縁の雄ネジ溝に螺合されることで、互いに取り付けたり／取り外されたりできるようになっている。さらに、蓋部２０には、支軸を介してフード部４０が回動自在に取り付けられており、ボタン２３を押すことで、自動的にフード部４０を開くことができるようになっている。
【００１５】
そして、飲料容器１の蓋部２０には、蓋部２０の側面から左右の外方向に延びるように２つの支軸２２、２２が、直径方向に対峙する位置に取り付けられている。より具体的に言うと、支軸２２は、持ち手５０Ａ（５０Ｂ）に挿通されたうえで、支軸２２それ自体が蓋部２０に設けられた切欠きに嵌合されている。そして、本実施例の飲料容器１では、この支軸２２、２２を介して持ち手５０Ａ、５０Ｂが回動自在に支承されている。持ち手５０Ａ、５０Ｂの構成について以下に詳述する。
【００１６】
（持ち手の構成）
持ち手５０Ａ（５０Ｂも同様）は、合成樹脂などによってアーム状に形成されるものであり、使用者である乳幼児等が手で把持しやすいように、長さ方向の中央近傍が外側に膨らんだ形状（高さの低いＵ字形状）となっている。そして、持ち手５０Ａ（５０Ｂ）の一方の端部には孔が形成されており、この孔に前述した支軸２２が挿通されている。すなわち、持ち手５０Ａ（５０Ｂ）は、支軸２２によって片持ち式にボトル部１０に取り付けられている。
【００１７】
そして、本実施例の左右一対の持ち手５０Ａ、５０Ｂは、取付位置から容器本体であるボトル部１０の側面に沿う方向（図では下方）に延びる第１形態と、取付位置から飲み口であるストロー２１を越える方向（図では上方）に延びる第２形態と、の間で回動自在となっている。すなわち、第１形態は、図１に示す状態であり、飲料を飲みやすいように持ち手５０Ａ、５０Ｂがボトル部１０の横にある状態である。また、第２形態は、図７に示す状態であり、飲料容器１を携帯しやすいように持ち手５０Ａ、５０Ｂが上にある状態である。
【００１８】
さらに、左右一対の持ち手５０Ａ、５０Ｂは、第２形態において、互いの先端どうしが繋合（連結）できるように形成されている。例えば、左右一対の持ち手５０Ａ、５０Ｂは、図４及び図５に示すように、一方の持ち手５０Ｂの先端に円柱突起５２が形成されるとともに、他方の持ち手５０Ａの先端に円柱突起５０Ａよりも細い（狭い）切欠きと、これに連続する円柱突起５２と略同一径の円孔５１と、を有していることが好ましい。
【００１９】
さらに、前述したように、持ち手５０Ａ、５０Ｂは、支軸２２が挿通されることで、支軸２２の頭部によって蓋部２０側に押し付けられている（図４参照）。そして、図示しないが、蓋部２０の側には、持ち手５０Ａ、５０Ｂの左右に高さの低い小突起（「ガイド」又は「条」）が形成されており、小突起によって持ち手５０Ａ、５０Ｂの左右をガイドされている。すなわち、持ち手５０Ａ、５０Ｂは、図１に示す第１形態の位置と、図７に示す第２形態の位置と、で安定して保持されるように方向付けされている。換言すると、左右一対の持ち手５０Ａ、５０Ｂは、第１形態及び第２形態の位置まで回転させると、クリック感が得られるようになっている。
【００２０】
（作用）
次に、図１、図６、及び図７を用いて、本実施例の飲料容器１の作用について説明する。図１に示す第１形態では、持ち手５０Ａ、５０Ｂは、ボトル部１０の側面に沿う方向に延びており、乳幼児等の使用者が両手で左右の持ち手５０Ａ、５０Ｂを把持して飲みやすい形態となっている。
【００２１】
図７に示す第２形態では、持ち手５０Ａ、５０Ｂは、飲み口であるストロー２１の上方で互いに繋合されており、携帯する際に持ちやすい形状となっている。さらに、例えば、ベビーカーのハンドルなどに挿通すれば落下や紛失のおそれを抑制できる形態となっている。第１形態から第２形態へ変態するためには、一方の持ち手５０Ｂを手で把持しつつ回動させたうえで（図６参照）、他方の持ち手５０Ａを手で把持しつつ回転させる。
【００２２】
そして、第１形態から１８０度回動させた第２形態の位置において、一方の持ち手５０Ｂの円柱突起５２を、他方の持ち手５０Ａの円孔５１に嵌合させて両者を繋合させる。より詳細に言うと、円柱突起５２は、それよりも幅の狭い切欠きを通過した後に、略同一径の円孔５１に嵌合される。このように「パッチン」と嵌まることで、一旦連結された持ち手５０Ａ、５０Ｂは、外れにくくなっている。なお、連結された持ち手５０Ａ、５０Ｂを外す際には、両者を反対方向に引き離すことで両者が分離される。
【００２３】
（効果）
次に、本考案の飲料容器１の奏する効果を列挙して説明する。
【００２４】
（１）上述してきたように、本考案の飲料容器１は、飲み口を有する容器本体であるボトル部１０と、左右一対の持ち手５０Ａ、５０Ｂであって、取付位置からボトル１０の側面に沿う方向に延びる第１形態と、取付位置から飲み口であるストロー２１を超える方向に延びる第２形態と、の間で回動自在となっている、左右一対の持ち手５０Ａ、５０Ｂと、を備えている。このような構成であるから、飲む際には持ち手を第１形態とし、持ち運ぶ際には持ち手を第２形態とすれば、携帯する際にも持ち手を利用することで、持ちやすく落としにくい飲料容器となる。
【００２５】
（２）また、左右一対の持ち手は、第２形態において、互いの先端どうしが繋合できるように形成されている。したがって、飲料容器１を持ち運ぶ際などに持ちやすく、落としにくくなる。
【００２６】
（３）さらに、左右一対の持ち手５０Ａ、５０Ｂは、一方の持ち手５０Ｂが、先端に円柱突起５２を有するとともに、他方の持ち手５０Ａが、先端に円柱突起５２よりも細い切欠とこれに連続する円柱突起と略同一径の円孔５１と、を有している。このようにすれば、簡単な構造によって、繋合しやすく、かつ、外れにくい持ち手５０Ａ、５０Ｂとなる。
【００２７】
（４）また、左右一対の持ち手５０Ａ、５０Ｂは、第１形態及び／又は第２形態の位置まで回動させると、クリック感が得られるようになっているため、第１形態及び／又は第２形態で安定的に全体形状を保持することができる。したがって、第１形態では持ち手５０Ａ、５０Ｂを持って飲みやすくなり、さらに第２形態では持ち手５０Ａ、５０Ｂを持って携帯しやすくなったり任意の場所に安定して掛止したりできる。
【００２８】
以上、図面を参照して、本考案の実施例を詳述してきたが、具体的な構成は、この実施例に限らず、本考案の要旨を逸脱しない程度の設計的変更は、本考案に含まれる。
【符号の説明】
【００２９】
１          飲料容器
１０        ボトル部
２０        蓋部
２１        ストロー
２２        支軸
２３        ボタン
３０        ストロー支持部
４０        フード部
５０Ａ      持ち手
５１        円孔
５０Ｂ      持ち手
５２        円柱突起
【図１】
0003217500.tif 000003
【図２】
0003217500.tif 000004
【図３】
0003217500.tif 000005
【図４】
0003217500.tif 000006
【図５】
0003217500.tif 000007
【図６】
0003217500.tif 000008
【図７】
0003217500.tif 000009